(57)【特許請求の範囲】
【請求項１】
開閉体本体部と、この開閉体本体部に連結された閉移動方向先端部とを備え、古い開閉体本体部の下端部のカール部と新しい開閉体本体部の下端部のカール部とは形状が異なるため、新しい開閉体本体部の下端部のカール部に古い閉移動方向先端部の上端部のカール部を直接連結することができない開閉体の補修方法であって、
上端部に新しい開閉体本体部の下端部のカール部に連結されるカール形状の本体部側連結部を備え、かつ、下端部に古い閉移動方向先端部の上端部のカール部に連結されるカール形状の先端部側連結部を備える連結部材を用いる方法であり、
古い開閉体本体部の下端部のカール部と古い閉移動方向先端部の上端部のカール部との連結を解除した後、
前記連結部材を用いて新しい開閉体本体部の下端部のカール部と古い閉移動方向先端部の上端部のカール部とを連結する
ことを特徴とする開閉体の補修方法。
【請求項２】
連結部材を用いて新しい開閉体本体部の下端部のカール部と古い閉移動方向先端部の上端部のカール部とを連結した後、移動規制手段を前記両カール部に設けることにより前記連結部材が新しい開閉体本体部および古い閉移動方向先端部に対して横ずれしないようにする
ことを特徴とする請求項１記載の開閉体の補修方法。
【請求項３】
古い閉移動方向先端部は、施錠手段の係合受け部と係合する係合部と、前記施錠手段を解錠するための解錠用操作部とを有する
ことを特徴とする請求項１または２記載の開閉体の補修方法。
【請求項４】
開閉体本体部と、この開閉体本体部に連結された閉移動方向先端部とを備え、古い開閉体本体部の下端部のカール部と新しい開閉体本体部の下端部のカール部とは形状が異なるため、新しい開閉体本体部の下端部のカール部に古い閉移動方向先端部の上端部のカール部を直接連結することができない開閉体の補修に用いられる連結部材であって、
上端部に新しい開閉体本体部の下端部のカール部に連結されるカール形状の本体部側連結部を備え、かつ、下端部に古い閉移動方向先端部の上端部のカール部に連結されるカール形状の先端部側連結部を備える
ことを特徴とする連結部材。
【請求項５】
本体部側連結部は、新しい開閉体本体部の下端部のカール部に回動自在に連結されるカール形状に形成され、
先端部側連結部は、古い閉移動方向先端部の上端部のカール部に回動自在に連結されるカール形状に形成されている
ことを特徴とする請求項４記載の連結部材。
【請求項６】
本体部側連結部と先端部側連結部とを連結し、上下方向に対して傾斜する傾斜状の連結板部と、
この連結板部の上端部に設けられ、新しい開閉体本体部の下端部のカール部の前記本体部側連結部内からの抜け出しを防止する抜止用の水平板部と
を備えることを特徴とする請求項５記載の連結部材。
【発明の詳細な説明】
【技術分野】
【０００１】
本発明は、開閉体本体部とこの開閉体本体部に連結された閉移動方向先端部とを備える開閉体の補修方法および連結部材に関するものである。
【背景技術】
【０００２】
従来、例えば略板状の複数枚の開閉体構成部材（シャッタスラット）にて構成された開閉体本体部（スラット部分）と、この開閉体本体部の下端部に連結され開口部の閉鎖時に被当接部に当接する閉移動方向先端部である当接部（幅木部分）とを備えたシャッタカーテン等の開閉体が知られている（例えば、特許文献１参照）。
【０００３】
そして、図１２に示すように、例えば現在製造していない古い開閉体本体部Ａを現在製造中の新しい開閉体本体部Ｂに交換する必要が生じた場合、新しい開閉体本体部Ｂを古い当接部Ｃに連結できないため、開閉体全体を丸ごと新しいのに交換している。
【特許文献１】特開２００３−３２１９８４号公報
【発明の開示】
【発明が解決しようとする課題】
【０００４】
しかしながら、従来のように開閉体全体を丸ごと新しいのに交換する補修方法では、交換する必要のない古い当接部Ｃまで新しい当接部Ｄに交換しなければならず、補修費用が高くなるという問題がある。
【０００５】
本発明は、このような点に鑑みなされたもので、補修費用の軽減を図ることができる開閉体の補修方法および連結部材を提供することを目的とする。
【課題を解決するための手段】
【０００６】
請求項１記載の開閉体の補修方法は、開閉体本体部と、この開閉体本体部に連結された閉移動方向先端部とを備え、古い開閉体本体部の下端部のカール部と新しい開閉体本体部の下端部のカール部とは形状が異なるため、新しい開閉体本体部の下端部のカール部に古い閉移動方向先端部の上端部のカール部を直接連結することができない開閉体の補修方法であって、上端部に新しい開閉体本体部の下端部のカール部に連結されるカール形状の本体部側連結部を備え、かつ、下端部に古い閉移動方向先端部の上端部のカール部に連結されるカール形状の先端部側連結部を備える連結部材を用いる方法であり、古い開閉体本体部の下端部のカール部と古い閉移動方向先端部の上端部のカール部との連結を解除した後、前記連結部材を用いて新しい開閉体本体部の下端部のカール部と古い閉移動方向先端部の上端部のカール部とを連結するものである。
【０００７】
請求項２記載の開閉体の補修方法は、請求項１記載の開閉体の補修方法において、連結部材を用いて新しい開閉体本体部の下端部のカール部と古い閉移動方向先端部の上端部のカール部とを連結した後、移動規制手段を前記両カール部に設けることにより前記連結部材が新しい開閉体本体部および古い閉移動方向先端部に対して横ずれしないようにするものである。
【０００８】
請求項３記載の開閉体の補修方法は、請求項１または２記載の開閉体の補修方法において、古い閉移動方向先端部は、施錠手段の係合受け部と係合する係合部と、前記施錠手段を解錠するための解錠用操作部とを有するものである。
【０００９】
請求項４記載の連結部材は、開閉体本体部と、この開閉体本体部に連結された閉移動方向先端部とを備え、古い開閉体本体部の下端部のカール部と新しい開閉体本体部の下端部のカール部とは形状が異なるため、新しい開閉体本体部の下端部のカール部に古い閉移動方向先端部の上端部のカール部を直接連結することができない開閉体の補修に用いられる連結部材であって、上端部に新しい開閉体本体部の下端部のカール部に連結されるカール形状の本体部側連結部を備え、かつ、下端部に古い閉移動方向先端部の上端部のカール部に連結されるカール形状の先端部側連結部を備えるものである。
【００１０】
請求項５記載の連結部材は、請求項４記載の連結部材において、本体部側連結部は、新しい開閉体本体部の下端部のカール部に回動自在に連結されるカール形状に形成され、先端部側連結部は、古い閉移動方向先端部の上端部のカール部に回動自在に連結されるカール形状に形成されているものである。
【００１１】
請求項６記載の連結部材は、請求項５記載の連結部材において、本体部側連結部と先端部側連結部とを連結し、上下方向に対して傾斜する傾斜状の連結板部と、この連結板部の上端部に設けられ、新しい開閉体本体部の下端部のカール部の前記本体部側連結部内からの抜け出しを防止する抜止用の水平板部とを備えるものである。
【発明の効果】
【００１２】
本発明によれば、古い開閉体本体部のみの交換で済むため、補修費用の軽減を図ることができる。
【発明を実施するための最良の形態】
【００１３】
本発明の一実施の形態を図面を参照して説明する。
【００１４】
図１において、１は開閉装置で、この開閉装置１は、例えば住宅等の建物に形成された開口部２を開閉する窓シャッタ装置である。なお、この開閉装置１は本実施の形態の補修方法によって補修されたものである。
【００１５】
開閉装置１は、開口部２を介して互いに離間対向する上下方向長手状の左右一対の案内体（ガイドレール）３を備えている。各案内体３は、開口部２に向って開口する断面略コ字状で上下方向長手状の案内溝部４を有している。
【００１６】
また、開閉装置１は、両案内体３の下端部間にわたって位置する左右方向長手状の被当接部である下枠体５と、両案内体３の上端部間にわたって位置する左右方向長手状で略箱状の収容ケース体６とを備えている。
【００１７】
収容ケース体６内には、軸方向が左右水平方向に一致する略円筒状の巻取体（図示せず）が左右水平方向の回転中心軸線を中心として巻取方向および巻戻方向に回転可能に配設されている。
【００１８】
そして、巻取体には、回転中心軸線を中心とする巻取体の巻取方向への回転で巻き取られることにより案内体３にて案内されつつ開口部２に沿って上昇（開移動）して開口部２を開口させ、回転中心軸線を中心とする巻取体の巻戻方向への回転で巻き戻されることにより案内体３にて案内されつつ開口部２に沿って下降（閉移動）して開口部２を閉鎖する略面状の開閉体（シャッタカーテン）８の上端側が取り付けられている。また、開閉装置１は、開口部２の閉鎖時に開閉体８の上昇を規制する施錠手段９を備えている。
【００１９】
ここで、開口部２を開閉する昇降可能な開閉体８は、図１および図２に示すように、開閉体本体部（スラット部分）11と、この開閉体本体部11の下端部に左右方向長手状の１つの連結部材13を介して連結され開口部２の閉鎖時に下枠体５に当接する左右方向長手状の閉移動方向先端部である当接部（幅木部分）12とを備えている。
【００２０】
開閉体本体部11は、現在製造中の新しいもので、例えば上下に隣接するもの同士が互いに回動自在に連結された左右方向長手状で略板状の複数枚の開閉体構成部材（シャッタスラット）15にて構成されている。各開閉体構成部材15は、左右水平方向である長手方向に沿った上下端部にカール部16a，16bを有している。そして、上下に隣接する開閉体構成部材15のカール部16a，16b同士が互いに回動自在に連結されている。
【００２１】
開閉体８の下端部を構成する当接部12は、現在製造していない古いもので、左右水平方向である長手方向に沿った上端部にカール部21を有している。カール部21は、水平板部22から立ち上がった立上板部23の上端部に一体に設けられている。また、当接部12は、左右両端側に施錠手段９の係合受け部25と係合する係合部26を有している。さらに、当接部12は、施錠手段９を解錠するための解錠用操作部27を有している。
【００２２】
開閉体本体部11と当接部12とを連結する連結部材13は、左右水平方向である長手方向に沿った上端部に新しい開閉体本体部11の下端部のカール部16bに回動自在に連結されるカール形状の本体部側連結部31を有し、かつ左右水平方向である長手方向に沿った下端部に古い当接部12の上端部のカール部21に回動自在に連結されるカール形状の先端部側連結部である当接部側連結部32を有している。そして、連結部材13の本体部側連結部31が開閉体本体部11を構成する複数の開閉体構成部材15のうちの最下端に位置する開閉体構成部材15の下端部のカール部16bと回動自在に連結され、連結部材13の当接部側連結部32が当接部12の上端部のカール部21と回動自在に連結されている。
【００２３】
また、本体部側連結部31と当接部側連結部32とは、上下方向に対して傾斜する傾斜状の連結板部33にて一体に連結され、連結板部33の上端部には開閉体構成部材15のカール部16bの本体部側連結部31内からの抜け出しを防止する抜止用の水平板部34が一体に設けられている。カール部16bに対応するカール形状の本体部側連結部31は、円弧状部分31aと、この円弧状部分31aの先端から下方に向って突出する下方突出部分31bとにて構成されている。カール部21に対応するカール形状の当接部側連結部32は、上方に向って開口するコ字状部分32aと、このコ字状部分32aの先端から前方に向って突出する前方突出部分32bとにて構成されている。
【００２４】
なお、連結部材13の前後方向寸法は、開閉体構成部材15の前後方向寸法（開閉体本体部11の厚さ方向寸法）に応じた値になっている。
【００２５】
また一方、連結部材13は、開閉体本体部11および当接部12に対して左右水平方向に移動（横ずれ）しないようになっている。例えば図３および図４に示すように、移動規制手段（横ずれ防止手段）であるビス41が、連結部材13の本体部側連結部31と最下端の開閉体構成部材15の下端部のカール部16bとの間および連結部材13の当接部側連結部32と当接部12の上端部のカール部21との間に差し込まれている。また例えば図５に示すように、移動規制手段（横ずれ防止手段）であるかしめ部42が、最下端の開閉体構成部材15の下端部のカール部16bの左右両端部および当接部12のカール部21の左右両端部にかしめ加工により略板状に形成されている。
【００２６】
次に、本実施の形態に係る開閉体の補修方法について説明する。なお、図１および図２に示す開閉体８は補修後のものである。
【００２７】
図６および図７に示すように、例えばシャッタスラットである開閉体構成部材15の損傷或いは変形等により、現在製造していない長年使用した古い開閉体本体部11aを現在製造中の新しい開閉体本体部11に交換する必要が生じた場合、古い開閉体本体部11aと古い当接部12との連結を解除した後、その古い当接部12のカール部21に新しい開閉体本体部11のカール部16bを連結部材13を介して連結する。
【００２８】
すなわち、開閉体８を巻取体および案内体３から外した後、古い開閉体本体部11aの下端部のカール部16と古い当接部12の上端部のカール部21との連結を解除し、その後、連結部材13を用いて新しい開閉体本体部11の下端部のカール部16bと古い当接部12の上端部のカール部21とを連結する。
【００２９】
その後、ビス41の差し込み、かしめ加工によるかしめ部42の形成等により、連結部材13が新しい開閉体本体部11および古い当接部12に対して横ずれしないようにする（図３ないし図５参照）。次いで、補修後の開閉体８の上端部を巻取体に取り付けるとともに、補修後の開閉体８の左右両端部を案内体３の案内溝部４に挿入する。こうして開閉体８の補修作業が完了する。
【００３０】
なお、図７から明らかなように、古い開閉体本体部11aのカール部16と、新しい開閉体本体部11のカール部16bとは形状が異なる、つまり古いシャッタスラットのカール部16の形状と新しいシャッタスラットのカール部16bの形状とが異なるため、新しい開閉体本体部11のカール部16bに古い当接部12のカール部21を直接連結することができない。
【００３１】
そして、このように古い開閉体本体部11aと古い当接部12との連結を解除した後、その古い当接部12に新しい開閉体本体部11を連結部材13を介して連結することにより、古い開閉体本体部11aのみの交換で済むため、現場の古い当接部（水切り）12をそのまま継続使用でき、補修費用の軽減を図ることができる。
【００３２】
なお、連結部材13は、図２に示す形状のものには限定されず、例えば図８に示すように、開閉体構成部材15のカール部16bの本体部側連結部31内からの抜け出しを防止する抜止用の水平板部分45を有する連結板部46にて、本体部側連結部31と当接部側連結部32とを連結するようなもの等でもよい。
【００３３】
また、例えば図９に示すように、開閉体構成部材15のカール部16bの本体部側連結部31内からの抜け出しを防止する抜止用の第１水平板部分51と、当接部12のカール部21の当接部側連結部32内からの抜け出しを防止する抜止用の第２水平板部分52と、第１水平板部分51の前端部と第２水平板部分52の前端部とを繋ぐ第１垂直板部分53と、第１水平板部分51の後端部と第２水平板部分52の後端部とを繋ぐ第２垂直板部分54とを有する連結筒状部55にて、本体部側連結部31と当接部側連結部32とを連結するようなもの等でもよい。
【００３４】
さらに、新しい開閉体構成部材（シャッタスラット）15は、図２等に示す形状には限定されず、例えば図１０に示すように、上端部のカール部16aと下端部のカール部16bとを繋ぐ本体部分が側面視略コ字状をなす形状等でもよい。なお、図１０に示す開閉体構成部材15の前後方向寸法が図２に示す開閉体構成部材15の前後方向寸法より若干短く、この寸法の違いに対応して図１０に示す連結部材13の前後方向寸法が図２に示す連結部材13の前後方向寸法より若干短くなっている。
【００３５】
また、左右方向長手状の１本の連結部材13を用いて、新しい開閉体本体部11のカール部16bと古い当接部12のカール部21とを連結する方法以外に、例えば図１１に示すように、連結部材13の左右方向寸法を短くした複数、例えば３つの連結部材13aを用いて新しい開閉体本体部11のカール部16bと古い当接部12のカール部21とを連結し、各連結部材13aの両側方位置にかしめ部42を形成するようにしてもよい。
【００３６】
なお、開閉装置１は、開口部２の周囲に固定された窓シャッタ装置には限定されず、例えばその他の開口部の周囲に固定されたその他のシャッタ装置等でもよい。
【００３７】
また、開閉体８の下端部を構成する閉移動方向先端部である当接部12が当接する被当接部は、下枠体５には限定されず、例えば床面、或いはガイドレール等の案内体に突設された突出部等であってもよい。
【００３８】
さらに、開閉体８は、開閉機のブレーキの解除により自重下降して閉鎖するものや電動モータにより電動開閉するものでもよく、また、開閉体８の収納方式は、巻取体の回転による巻取式には限定されず、例えば、折り畳み式、送り込み式、分離重合式等の任意のものとしてもよい。
【００３９】
また、開閉体８は、開口部２を全閉できるものであっても、全閉できないものであってもよい。
【００４０】
さらに、開閉体８の閉移動方向先端部は、閉鎖側の物体である被当接部に当接しても当接しなくてもよい。
【００４１】
また、開閉装置１は、図示しないが、シャッタスラット同士の連結部の伸縮によりシャッタスラット同士の連結部に設けられたスリット状の孔部を開閉することができるスリットシャッター等でもよい。
【００４２】
さらに、図示しないが、連結部材と開閉体本体部との連結および連結部材と閉移動方向先端部との連結は、回動可能でなくてもよく、一方のみを回動不能にしたり、両方を回動不能にしたりしてもよい。また、その回動方向は開閉体厚さ方向両側でもよく、方側でもよい。
【図面の簡単な説明】
【００４３】
【図１】本発明の補修方法によって補修された開閉装置の斜視図である。
【図２】同上開閉装置の開閉体の縦断面図である。
【図３】同上開閉体の横ずれ防止手段を示す正面図である。
【図４】同上開閉体の横ずれ防止手段を示す側面図である。
【図５】同上開閉体の他の横ずれ防止手段を示す正面図である。
【図６】本発明の補修方法を説明するための説明図である。
【図７】本発明の補修方法を説明するための説明図である。
【図８】本発明の連結部材の変形例を示す縦断面図である。
【図９】本発明の連結部材の他の変形例を示す縦断面図である。
【図１０】本発明の連結部材のさらに他の変形例を示す縦断面図である。
【図１１】本発明の連結部材のさらに他の変形例を示す正面図である。
【図１２】従来の補修方法を説明するための説明図である。
【符号の説明】
【００４４】
８    開閉体
９ 施錠手段
11    新しい開閉体本体部
11a   古い開閉体本体部
12    古い閉移動方向先端部である古い当接部
13    連結部材
16 古い開閉体本体部の下端部のカール部
16b   新しい開閉体本体部の下端部のカール部
21    古い当接部（閉移動方向先端部）の上端部のカール部
25 係合受け部
26 係合部
27 解錠用操作部
31    本体部側連結部
32    先端部側連結部である当接部側連結部
33 連結板部
34 抜止用の水平板部
41 移動規制手段であるビス
42 移動規制手段であるかしめ部
【図１】
0004787606.tif 000002
【図２】
0004787606.tif 000003
【図３】
0004787606.tif 000004
【図４】
0004787606.tif 000005
【図５】
0004787606.tif 000006
【図６】
0004787606.tif 000007
【図７】
0004787606.tif 000008
【図８】
0004787606.tif 000009
【図９】
0004787606.tif 000010
【図１０】
0004787606.tif 000011
【図１１】
0004787606.tif 000012
【図１２】
0004787606.tif 000013